(57)【要約】【課題】シートに迅速に画像記録を行い、かつ記録された画像の確認を迅速に行うことができる手段を提供する。【解決手段】プリンタ部１１は、長方形のシート１００が短手方向を搬送向き１０５に沿わせて載置される供給トレイ２０と、供給トレイ２０に載置されたシート１００を、短手方向を搬送向き１０５として第１搬送路２１を搬送させる搬送ローラ２３などと、第１搬送路２１を搬送されるシート１００に対して、長手方向を走査方向としてインクを吐出して画像を記録する記録ヘッド３７と、を具備する。記録ヘッド３７は、シート１００の長手方向であり搬送向き１０５下流側の端を左端とした記録情報であって、シートの短手方向に沿った横書きの記録情報を画像記録する。【選択図】図２
2013223990.tif 000002
【特許請求の範囲】
【請求項１】
長方形のシートが短手方向を搬送向きに沿わせて載置される供給トレイと、
上記供給トレイに載置されたシートを、短手方向を搬送向きとして搬送路を搬送させる搬送部と、
上記搬送路を搬送されるシートに対して、長手方向を走査方向としてインクを吐出して画像を記録する記録部と、を具備しており、
上記記録部は、シートの長手であり搬送向き下流側の端を左端とした記録情報であって、シートの短手方向に沿った横書きの記録情報を画像記録するものである画像記録装置。
【請求項２】
上記搬送部は、上記記録部より搬送向き上流に配置された搬送ローラ対を有するものであり、当該搬送ローラ対にシートの長手であり搬送向き下流側の端を当接させて斜行矯正をするものである請求項１に記載の画像記録装置。
【請求項３】
上記搬送部は、上記記録部より搬送向き下流に配置された排出ローラ対を有するものである請求項２に記載の画像記録装置。
【請求項４】
上記搬送部は、上記記録部により第１面に画像記録されたシートをスイッチバック搬送して、当該シートの搬送向き上流側の端を先頭にして上記記録部の搬送向き上流側へ再び供給し、
上記記録部は、スイッチバック搬送された上記シートの第２面に画像記録を行うものである請求項１に記載の画像記録装置。
【請求項５】
上記供給トレイからシートが供給される状態において、上記供給トレイに載置可能な最大サイズのシートが、その短手方向を搬送向きに沿わせて載置される請求項１から４のいずれかに記載の画像記録装置。
【請求項６】
Ａ４サイズのシートが、その短手方向を搬送向きに沿わせて上記供給トレイに載置される請求項１から４のいずれかに記載の画像記録装置。
【請求項７】
請求項１から６のいずれかに記載の画像記録装置と、
長方形の原稿載置面を有しており、当該原稿載置面の短手方向を主走査方向とし、かつ長手方向を副走査方向として、当該原稿載置面に載置された原稿の画像を読み取る画像読取装置と、
上記画像読取装置が読み取った画像の情報を、副走査方向を上記記録部の走査方向として回転させて上記記録情報とする演算装置と、を有する複合機。
【発明の詳細な説明】
【技術分野】
【０００１】
本発明は、シートに画像を記録する画像記録装置及び当該画像記録装置を備えた複合機に関する。
【背景技術】
【０００２】
搬送ローラ対がシートを搬送してプラテンが支持し、そのシートに記録ヘッドがインク滴を吐出して画像を記録し、画像記録後のシートを排紙ローラ対が排出する画像記録装置が知られている。
【０００３】
例えば、特許文献１〜３に開示されているように、画像記録においては、記録ヘッドを搭載したキャリッジをシートの左端又は右端に位置せしめてから、一方向へキャリッジを移動させつつ記録ヘッドからインクを吐出させる。記録される画像の内容は様々ではあるが、一般に、横書きの文書であれば、横書き方向を記録ヘッドの移動方向、すなわち主走査方向として、文書の先頭側から順次シートに画像が記録される。
【先行技術文献】
【特許文献】
【０００４】
【特許文献１】特開２００２−１０３７２０号公報
【特許文献２】特開２００５−２１２２３２号公報
【特許文献３】特開２０１１−１４３５５６号公報
【発明の概要】
【発明が解決しようとする課題】
【０００５】
しかし、例えば、ＪＩＳ規格におけるＡ４サイズの短手方向に沿って横書きされた文書を、Ａ４サイズのシートを長手方向を搬送向きに沿わせて搬送して、短手方向を主走査方向として画像記録を行うと、シートに対して記録ヘッドを走査する回数が多く、画像記録に要する時間が長くなる傾向にある。
【０００６】
また、ユーザにおいては、画像記録の途中においても、シートに記録された画像の内容を確認したいという要望がある。
【０００７】
本発明は、前述された事情に鑑みてなされたものであり、その目的とするところは、シートに迅速に画像記録を行い、かつ記録された画像の確認を迅速に行うことができる手段を提供することにある。
【課題を解決するための手段】
【０００８】
(1)  本発明に係る画像記録装置は、長方形のシートが短手方向を搬送向きに沿わせて載置される供給トレイと、上記供給トレイに載置されたシートを、短手方向を搬送向きとして搬送路を搬送させる搬送部と、上記搬送路を搬送されるシートに対して、長手方向を走査方向としてインクを吐出して画像を記録する記録部と、を具備する。上記記録部は、シートの長手方向であり搬送向き下流側の端を左端とした記録情報であって、シートの短手方向に沿った横書きの記録情報を画像記録する。
【０００９】
長手方向を走査方向として画像記録が行われるので、迅速に画像記録を行うことができる。また、シートの長手方向であって搬送向き下流側の端を左端とした記録情報であって、短手方向に沿った横書きの記録情報が画像記録されるので、搬送路からは、情報量が比較的多い記録情報の左端側が最も先に排出される。したがって、搬送路から排出されるシートにおいて記録情報の確認を迅速に行うことができる。
【００１０】
(2)  上記搬送部は、上記記録部より搬送向き上流に配置された搬送ローラ対を有するものであり、当該搬送ローラ対にシートの長手であり搬送向き下流側の端を当接させて斜行矯正をするものであってもよい。
【００１１】
横書きされた記録情報の左端となるシートの端がローラ対に当接されて斜行矯正されるので、記録情報の左端が揃った画像がシートに記録される。
【００１２】
(3)  上記搬送部は、上記記録部より搬送向き下流に配置された排出ローラ対を有するものであってもよい。
【００１３】
搬送ローラ対をシートが通過して、排出ローラ対のみによってシートを搬送するときには、情報量が比較的少ない記録情報の右端側が画像記録されるので、シートに吐出されるインク量が比較的少なく、インクの影響によってシートに浮き上がりが生じ難い。
【００１４】
(4)  上記搬送部は、上記記録部により第１面に画像記録されたシートをスイッチバック搬送して、当該シートの搬送向き上流側の端を先頭にして上記記録部の搬送向き上流側へ再び供給し、上記記録部は、スイッチバック搬送された上記シートの第２面に画像記録を行うものであってもよい。
【００１５】
スイッチバック搬送したときに先頭となる第１面記録におけるシートの搬送向き上流端は、記録情報の情報量が比較的少ない側なので、シートに吐出されるインク量が比較的少なく、スイッチバック搬送されたときのシートの先頭側において紙詰まりが生じ難い。
【００１６】
(5)  上記供給トレイからシートが供給される状態において、上記供給トレイに載置可能な最大サイズのシートが、その短手方向を搬送向きに沿わせて載置されるものであってもよい。
【００１７】
(6)  Ａ４サイズのシートが、その短手方向を搬送向きに沿わせて上記供給トレイに載置されるものであってもよい。
【００１８】
(7)  本発明に係る複合機は、上記画像記録装置と、長方形の原稿載置面を有しており、当該原稿載置面の短手方向を主走査方向とし、かつ長手方向を副走査方向として、当該原稿載置面に載置された原稿の画像を読み取る画像読取装置と、上記画像読取装置が読み取った画像の情報を、副走査方向を上記記録部の走査方向として回転させて上記記録情報とする演算装置と、を有する。
【発明の効果】
【００１９】
本発明によれば、長手方向を走査方向として画像記録が行われるので、迅速に画像記録を行うことができる。また、情報量が比較的多い記録情報の左端側が最も先に搬送路から排出されるので、排出されるシートにおいて記録情報の確認を迅速に行うことができる。
【図面の簡単な説明】
【００２０】
【図１】図１は、本発明の一実施形態に係る複合機１０の斜視図である。
【図２】図２は、プリンタ部１１の内部構造を示す模式図である。
【図３】図３は、スキャナ部１２の平面構造を示す平面図である。
【図４】図４は、原稿１１０が載置されたスキャナ部１２の平面構造を示す平面図である。
【図５】図５は、制御部５０の構成を示すブロック図である。
【図６】図６は、プリンタ部１１において斜行矯正が行われている状態を示す模式断面図である。
【図７】図７は、プリンタ部１１において斜行矯正が行われている状態を示す模式平面図である。
【図８】図８は、プリンタ部１１において画像記録が行われている状態を示す模式平面図である。
【図９】図９は、プリンタ部１１において第１面に画像記録が行われている状態を示す模式断面図である。
【図１０】図１０は、プリンタ部１１においてスイッチバック搬送が行われている状態を示す模式断面図である。
【図１１】図１１は、プリンタ部１１において縁無し印刷が行われている状態を示す模式断面図である。
【図１２】図１２は、変形例における第２搬送路６２を示す模式図である。
【発明を実施するための形態】
【００２１】
以下、本発明の実施形態について説明がされる。なお、以下に説明される実施形態は本発明の一例であり、本発明の要旨を変更しない範囲において実施形態が適宜変更されてもよい。
【００２２】
［複合機１０の概要］
図１に示されるように、複合機１０は、シートに画像を記録するプリンタ部１１と、原稿に記録された画像を読み込むスキャナ部１２と、を備えている。複合機１０は、プリント、スキャン、コピー等を実行可能である。なお、本実施形態では、図１に示されるように、操作パネル１６を前面側として複合機１０を使用可能に設置した状態を基準として前後方向１０１、左右方向１０２、上下方向１０３が定義される。プリンタ部１１が画像記録装置に相当する。スキャナ部１２が画像読取装置に相当する。
【００２３】
［プリンタ部１１の概要］
プリンタ部１１は、インクジェット記録方式に基づいて、シート１００に対してインク滴を選択的に吐出することにより画像を記録するものである。
【００２４】
図１，２に示されるように、プリンタ部１１の下側には、供給トレイ２０が設けられている。供給トレイ２０は複数枚のシート１００を積層された状態で収容可能なトレイ形状である。供給トレイ２０において、例えば日本工業規格におけるＡ４サイズの用紙が載置可能な最大サイズのシート１００であるとすれば、長方形のＡ４サイズのシート１００は、長辺を左右方向１０２に沿わせ、かつ短辺を前後方向１０１に沿わせた状態で、両面印刷において最初に画像記録がなされる第１面を下向きにして載置される。つまり、供給トレイ２０において、長方形のシート１００は、給送向き１０４に対して横置きに載置される。なお、供給トレイ２０に載置可能なシート１００は、例えば、最大サイズがＡ４サイズ又はレターサイズであってもよいし、載置可能な最大サイズがＡ３サイズであって、Ａ４サイズのシート１００が横置きされてもよい。
【００２５】
図２に示されるように、プリンタ部１１に装着された供給トレイ２０における背面側から上方へ第１搬送路２１が形成されている。同図には示されていないが、第１搬送路２１は、シート１００の第１面及び第２面に対向して拡がるガイド面を有するガイド部材によって区画された空間である。第１搬送路２１は、供給トレイ２０の背面側から上方へ横向きＵ字形状に湾曲してプリンタ部１１の正面側へ延びている。
【００２６】
供給トレイ２０の上側には、給紙ローラ２５が設けられている。給紙ローラ２５は、軸方向を左右方向１０２に沿って配置されている。給紙ローラ２５は、給紙向き１０２へ延びるアーム２６の先端に回転可能の支持されている。アーム２６は、給紙ローラ２５が上下方向１０３へ移動するように回動可能である。アーム２６は、給紙ローラ２５の自重により供給トレイ２０側へ回動され、これにより、給紙ローラ２５が供給トレイ２０上のシート１００に当接する。給紙ローラ２５は、搬送用モータ５１（図５参照）から駆動伝達されて回転する。給紙ローラ２５が回転すると、給紙ローラ２５に当接している最上位置のシート１００が給送向き１０４に給送されて第１搬送路２１へ進入する。
【００２７】
第１搬送路２１の湾曲部分よりプリンタ部１１の搬送向き１０４の下流側には、搬送ローラ２３及び従動ローラ２４が設けられている。搬送ローラ２３と従動ローラ２４とは、概ね上下方向１０３に沿って対向して配置されており、搬送ローラ２３が上側に配置されている。搬送ローラ２３は、軸方向が左右方向１０２に沿って配置されており、搬送用モータ５１（図５参照）から駆動伝達されて回転する。各図には詳細に現れていないが、従動ローラ２４は、複数が左右方向１０２に沿って離間されて配置されている。したがって、一つの搬送ローラ２３に複数の従動ローラ２４が対向している。従動ローラ２４も、軸方向が概ね左右方向１０２に沿って配置されている。従動ローラ２４は、搬送ローラ２３に対して接離するように上下方向１０３へ移動可能であり、搬送ローラ２３に当接するように上向きへ弾性的に付勢されている。搬送ローラ２３と従動ローラ２４との間にシート１００が進入すると、従動ローラ２４はシート１００の厚み分だけ下側へ移動する。これにより、搬送ローラ２３と従動ローラ２４との間にシート１００が挟み込まれる。この状態で搬送ローラ２３が回転することにより、シート１００が搬送向き１０５へ送られる。搬送ローラ２１及び従動ローラ２４が搬送部、搬送ローラ対に相当する。
【００２８】
搬送ローラ２３より搬送向き１０５の下流側に、キャリッジ２７及びプラテン２８が配置されている。キャリッジ２７は、インクジェット方式の記録ヘッド３７を搭載している。記録ヘッド３７とプラテン２８とは、記録ヘッド３７を上側として上下方向１０３に対向して配置されている。プラテン２８は、左右方向１０２に沿った長さがシート１００の長辺より長く、前後方向１０１に沿った長さがシート１００の短辺より短い。第１搬送路２１を搬送されるシート１００は、その一部がプラテン２８に支持される。
【００２９】
キャリッジ２７は、キャリッジ用モータ５３（図５参照）から駆動伝達されて、プラテン２８に対向して左右方向１０２へ移動する。キャリッジ２７の移動に伴って記録ヘッド３７も左右方向１０２へ移動する。記録ヘッド３７は、プラテン２８に支持されたシート１００に対して左右方向１０２に移動しつつ各ノズルからインク滴を選択的に吐出する。記録ヘッド３７の各ノズルから吐出されたインク滴がシート１００に着弾することにより、シート１００の第１面又は第２面に所望の画像が記録される。なお、各図には示されていないが、プリンタ部１１にはインクタンクが設けられており、インクタンクからチューブを介してインクが記録ヘッド３７に供給される。キャリッジ２７が移動する左右方向１０２が走査方向に相当する。
【００３０】
第１搬送路２１においてキャリッジ２７及びプラテン２８より搬送向き１０４の下流側には、排出ローラ２９及び拍車３０が設けられている。排出ローラ２９と拍車３０とは、概ね上下方向１０３に沿って対向して配置されており、排出ローラ２９が下側に配置されている。排出ローラ２９は、１本の軸３１に複数が左右方向１０２に離間されて配置されており、搬送用モータ５１（図５参照）から駆動伝達されて軸３１が回転すると、複数の排出ローラ２９が同時に回転する。拍車３０は、各排出ローラ２９に対向して複数が左右方向１０２に沿って離間されて配置されている。拍車３０も、軸方向が概ね左右方向１０２に沿って配置されている。拍車３０は、排出ローラ２９に対して接離するように上下方向１０３へ移動可能であり、排出ローラ２９に当接するように下向きへ弾性的に付勢されている。排出ローラ２９と拍車３０との間にシート１００が進入すると、拍車３０はシート１００の厚み分だけ上側へ移動する。これにより、排出ローラ２９と拍車３０との間にシート１００が挟み込まれる。この状態で排出ローラ２９が回転することにより、シート１００が搬送向き１０５へ送られる。排出ローラ２９及び拍車３０が搬送部、排出ローラ対に相当する。
【００３１】
第１搬送路２１において排出ローラ２９及び拍車３０より搬送向き１０４の下流側には、スイッチバックローラ（以下、ＳＢローラとも称される。）３２及び拍車３３が設けられている。ＳＢローラ３２と拍車３３とは、概ね上下方向１０３に沿って対向して配置されており、ＳＢローラ３２が下側に配置されている。ＳＢローラ３２は、１本の軸３４に複数が左右方向１０２に離間されて配置されており、搬送用モータ５１（図５参照）から駆動伝達されて軸３４が回転すると、複数のＳＢローラ３２が同時に回転する。拍車３３は、各ＳＢローラ３２に対向して複数が左右方向１０２に沿って離間されて配置されている。拍車３３も、軸方向が概ね左右方向１０２に沿って配置されている。拍車３３は、ＳＢローラ３２に対して接離するように上下方向１０３へ移動可能であり、ＳＢローラ３２に当接するように下向きへ弾性的に付勢されている。ＳＢローラ３２と拍車３３との間にシート１００が進入すると、拍車３３はシート１００の厚み分だけ上側へ移動する。これにより、ＳＢローラ３２と拍車３３との間にシート１００が挟み込まれる。この状態でＳＢローラ３２が回転することにより、シート１００が搬送向き１０５へ送られる。ＳＢローラ３２及び拍車３３が搬送部に相当する。
【００３２】
また、第１搬送路２１における排出ローラ２９とＳＢローラ３２との間の位置と搬送ローラ２３よりも上流側の湾曲部分とを接続する第２搬送路２１が形成されている。第２搬送路２１も、第１搬送路２１と同様に、シート１００の第１面及び第２面に対向して拡がるガイド面を有するガイド部材によって区画された空間である。第２搬送路２２は、第１面側に画像記録がされてＳＢローラ３２まで搬送されたシート１００を先端と後端とを逆転させるようにスイッチバック搬送して、再び搬送ローラ２３の搬送向き１０５上流側へ搬送するための経路である。
【００３３】
第１搬送路２１における排出ローラ２９とＳＢローラ３２との間であって第２搬送路２２との接続位置にはガイドフラップ３５が設けられている。ガイドフラップ３５は、第１搬送路２１の上側において、搬送向き１０５の上流側を回転軸として、搬送向き１０５の下流側が回動可能である。ガイドフラップ３５の下流端は第１搬送路２１の下側まで回動されている。第１搬送路２１において搬送向き１０５にシート１００が搬送されると、シート１００の先端が当接することによって、ガイドフラップ３５が上側へ持ち上げられるように回動する。これにより、シート１００の先端がガイドフラップ３５の下側を通過してＳＢローラ３２へ到達する。シート１００の後端がガイドフラップ３５の下流端部を通過すると、ガイドフラップ３５は、下流端部が第１搬送路２１の下側に至るまで回動する。これにより、シート１００の後端が第２搬送路２２側へ向けられる。この状態でＳＢローラ３２によりスイッチバック搬送を行うことによって、シート１００が後端を先頭にして第２搬送路２２へ案内される。
【００３４】
第１搬送路２１の終端側には排出トレイ３６が設けられている。第１搬送路２１から排出されたシート１００は、排出トレイ３６に支持される。供給トレイ２０と排出トレイ３６とは、排出トレイ３６を上側として上下二段に配置されている。図１に示されるように、複合機１０のプリンタ部１１は、正面側に開口１３を有する空間が形成されている。この空間内に供給トレイ２０及び排出トレイ３６が配置されている。つまり、プリンタ部１１は、画像記録後のシート１００が装置内に排出される胴内排出タイプである。
【００３５】
［スキャナ部１２の概要］
スキャナ部１２は、フラットベッドスキャナである。図３に示されるように、スキャナベース４０は、薄平な中空の直方体である。スキャナベース４０は、平面視において、前後方向１０１が左右方向１０２より短い長方形である。スキャナベース４０の上面には、プラテンガラス４１が設けられている。プラテンガラス４１の上面に画像読取りされる原稿１１０が読取面を下にして載置される。スキャナベース４０の上面に露出されたプラテンガラス４１の読取領域も、前後方向１０１が左右方向１０２より短い長方形である。
【００３６】
図４に示されるように、長方形の原稿１１０は、長辺を左右方向１０２に沿わせ、かつ短辺を前後方向１０１に沿わせた状態で、プラテンガラス４１に対して左詰めでプラテンガラス４１上に載置される。長方形の原稿１１０とは、例えば日本工業規格におけるＡ４サイズなどの用紙である。Ａ４サイズに文章が横書きされた原稿１１０は、文頭側の短辺を左詰めにして、行方向（横書き方向、図４において１点鎖線で示される方向）を前後方向１０１に沿わせてプラテンガラス４１の上面に載置される。
【００３７】
図３に示されるように、スキャナベース４０の内部にはイメージセンサ４２及びキャリッジ４３が設けられている。イメージセンサ４２は、コンタクト・イメージ・センサであり、読取ライン方向に細長な部材である。イメージセンサ４２は、読取ライン方向を前後方向１０１に沿わせて配置されている。イメージセンサ４２は、左右方向１０２に移動可能なキャリッジ４３に搭載されて、読取ライン方向を前後方向１０１に沿わせた姿勢で左右方向１０２に移動する。読取ライン方向（前後方向１０１）が主走査方向に相当し、移動方向（左右方向１０２）が副走査方向に相当する。したがって、プラテンガラス４１の上面に載置された横書きの原稿１１０は、行方向を主走査方向としてイメージセンサ４２により画像読取りされる。
【００３８】
［制御部５０］
制御部５０は、複合機１０の全体動作を制御する。以下、図５が参照されつつ、制御部５０の構成が説明される。例えば、制御部５０は、プリンタ部１１の搬送用モータ５１、キャリッジ用モータ５２及び記録ヘッド３７の駆動を制御する。また、制御部５０は、スキャナ部１２のキャリッジ用モータ５３及びイメージセンサ４２の駆動を制御する。制御部５０が演算装置に相当する。
【００３９】
制御部５０は、ＣＰＵ５４、ＲＯＭ５５、ＲＡＭ５６、ＥＥＰＲＯＭ５７、ＡＳＩＣ５８、及びこれらを相互に接続する内部バス５９を備えている。
【００４０】
ＲＯＭ５５には、ＣＰＵ５４が各種動作を制御するためのプログラムなどが格納されている。ＲＡＭ５６は、ＣＰＵ５４が上記プログラムを実行する際に用いるデータや信号等を一時的に記録する記憶領域として使用される。ＥＥＰＲＯＭ５７には、電源オフ後も保持すべき設定やフラグ等が格納される。
【００４１】
ＡＳＩＣ５８には、搬送用モータ５１、キャリッジ用モータ５２，５３が接続されている。各モータを回転させるための駆動信号が、ＣＰＵ５４から所定のモータに応じた駆動回路に入力されると、駆動信号に応じた駆動電流が駆動回路から対応するモータへ出力され、これにより、対応するモータが所定の回転速度で正転または逆転する。
【００４２】
また、ＡＳＩＣ５８は、記録ヘッド３７を駆動するための駆動信号やイメージセンサ４２を駆動するための駆動信号を発生する。イメージセンサ４２からの読取信号はＡＳＩＣへ出力される。
【００４３】
［複合機１０の動作］
以下に、複合機１０の動作が説明される。
【００４４】
［コピー動作］
図４に示されるように、長方形の原稿１１０は、長辺を左右方向１０２に沿わせ、かつ短辺を前後方向１０１に沿わせた状態で、プラテンガラス４１に対して左詰めでプラテンガラス４１上に載置される。図４においては、原稿１１０に記載された文字の行が直線により示されている。同図においては、説明の便宜上、原稿１１０においてプラテンガラス４１と対向する面とは反対側の面に文字の行を示す直線が記されているが、原稿１１０において文字が記載されている面、すなわち読取面がプラテンガラス４１に対向されている。したがって、原稿１１０には、長方形の長辺を縦方向として、左詰で横書きがされた文章が記載されており、その文章が記載された面をプラテンガラス４１に対向させて、原稿１１０がプラテンガラス４１に載置されている。そして、操作パネル１６が操作されてコピー開始が入力されると、スキャナ部１２において原稿１１０の画像読取りが行われる。
【００４５】
キャリッジ４３の移動に伴って、イメージセンサ４２は、プラテンガラス４１に対して、読取ライン方向を前後方向１０１に沿わせた姿勢で左右方向１０２に移動して、プラテンガラス４１の上面に載置された横書きの原稿１１０を、行方向を主走査方向として画像読取りする。
【００４６】
イメージセンサ４２から出力される画像データは、制御部５０に入力される。制御部５０において、画像データはＲＡＭ５６に格納されて回転処理のための演算がなされる。回転処理は、画像データにおける副走査方向（原稿１１０の列方向）を、プリンタ部１１における記録ヘッド３７の走査方向として回転する処理である。つまり、原稿１１０の文頭から行方向を読取ライン方向として読み取られた画像データは、時計回りに９０°回転される。その後、回転処理された画像データに基づいて、印刷データが生成される。印刷データは、記録ヘッド３７の各ノズルにおいてインク滴が吐出されるタイミングを示すものである。
【００４７】
制御部５０は、印刷データを生成するとプリンタ部１１を動作させる。図６に示されるように、搬送用モータ５１が駆動されて給紙ローラ２５が回転すると、供給トレイ２０からシート１００が供給向き１０４へ送られて第１搬送路２１へ供給される。供給トレイ２０には、シート１００の短辺が給送向き１０４に沿うようにシート１００が載置されているので、シート１００は、短辺を給送向き１０４に沿わせて給送される。
【００４８】
図７に示されるように、第１搬送路２１へ供給されたシート１００の先端は、搬送ローラ２３に当接する。搬送ローラ２３に当接するシート１００の先端は長辺である。このとき、搬送ローラ２３は搬送向き１０５と逆向きに回転されているか停止されている。したがって、搬送ローラ２３に当接したシート１００の先端は、搬送ローラ２３及び従動ローラ２４に挟み込まれることなく、搬送ローラ２３に当接した状態に維持される。シート１００の後端側は給紙ローラ２５により給送向き１０４へ送られているので、この力によってシート１００の先端が搬送ローラ２３に押し付けられる。これにより、シート１００の先端が搬送ローラ２３のローラ面に押し付けられて、シート１００の斜行が矯正される。その後、搬送ローラ２３が搬送向き１０５に回転されると、シート１００の先端側が搬送ローラ２３と従動ローラ２４とに挟み込まれて、プラテン２８へ向かって搬送される。
【００４９】
図８に示されるように、シート１００の先端がプラテン２８に支持されて、シート１００の頭出しが終了すると、制御部５０は、搬送用モータ５１を停止してシート１００を停止し、その間に、キャリッジ用モータ５２を駆動してキャリッジ２７を走査方向（左右方向１０２）へ復動させる。そして、キャリッジ２７と共に移動する記録ヘッド３７から、印刷データに基づいてインク滴を吐出させる。
【００５０】
制御部５０は、キャリッジ２７を走査方向に移動させた後、キャリッジ用モータ５２を停止させ、その後、搬送用モータ５１を所定の改行分だけ駆動して搬送ローラ２３を回転させる。これにより、シート１００は搬送向き１０５へ改行分だけ搬送される。そして、制御部５０は、再びキャリッジ用モータ５３を駆動して、印刷データに基づいて記録ヘッド３７からインク滴を吐出させる。
【００５１】
所定の改行分だけの搬送が繰り返されることにより、シート１００の先端が排出ローラ２９に到達して、シート１００の先端側が排出ローラ２９及び拍車３０に挟み込まれ、シート１００の後端側が搬送ローラ２３及び従動ローラ２４に挟み込まれた状態となる。そして、同様に所定の改行分だけの搬送と記録ヘッド３７からのインク滴の吐出が繰り返されて、シート１００の第１面に、スキャナ部１２で読み取られた原稿１１０の画像が形成される。
【００５２】
前述されたように、印刷データは、原稿１１０の文頭から行方向を読取ライン方向として読み取られた画像データを、時計回りに９０°回転されたものなので、シート１００の搬送向き１０５の先頭側には、原稿１１０における左端側が印刷される。また、シート１００においては、横書きの原稿１１０の行方向が搬送向き１０５に沿って印刷がなされる。このようにして、シート１００に原稿１１０の全画像が記録されると、制御部５０は、搬送用モータ５１を連続して駆動して、排出ローラ２９及びＳＢローラ３２を搬送向き１０５へ回転させて、画像記録後のシート１００を排出トレイ３６上へ排出する。
【００５３】
なお、前述されたコピー動作と同様にして、例えば、プリント機能が使用されるときにはスキャナ部１２により画像読取りに代えて、コンピュータなどの外部情報機器のドライバから出力される印刷データに基づいて画像記録が行われる。
【００５４】
［両面印刷動作］
制御部５０は、両面印刷の指令を受けるとプリンタ部１１を動作させる。図９に示されるように、搬送用モータ５１が駆動されて給紙ローラ２５が回転すると、供給トレイ２０からシート１００が供給向き１０４へ送られて第１搬送路２１へ供給される。供給トレイ２０には、シート１００の短辺が給送向き１０４に沿うようにシート１００が載置されているので、シート１００は、短辺を給送向き１０４に沿わせて給送される。
【００５５】
第１搬送路２１へ供給されたシート１００の先端は、搬送ローラ２３に当接する。搬送ローラ２３に当接するシート１００の先端は長辺である。このとき、搬送ローラ２３は搬送向き１０５と逆向きに回転されているか停止されている。つまり、斜行矯正は、所謂逆転レジストであってもよいし、静止レジストであってもよい。したがって、搬送ローラ２３に当接したシート１００の先端は、搬送ローラ２３及び従動ローラ２４に挟み込まれることなく、搬送ローラ２３に当接した状態に維持される。シート１００の後端側は給紙ローラ２５により給送向き１０４へ送られているので、この力によってシート１００の先端が搬送ローラ２３に押し付けられる。これにより、シート１００の先端が搬送ローラ２３のローラ面に押し付けられて、シート１００の斜行が矯正される。その後、搬送ローラ２３が搬送向き１０５に回転されると、シート１００の先端側が搬送ローラ２３と従動ローラ２４とに挟み込まれて、プラテン２８へ向かって搬送される。なお、斜行矯正のためにシート１００が当接されるローラは、搬送ローラ２３又は従動ローラ２４のいずれであってもよく、また、搬送ローラ２３と従動ローラ２４との挟持位置であってもよい。
【００５６】
図９に示されるように、シート１００の先端がプラテン２８に支持されて、シート１００の頭出しが終了すると、制御部５０は、搬送用モータ５１を停止してシート１００を停止し、その間に、キャリッジ用モータ５２を駆動してキャリッジ２７を走査方向（左右方向１０２）へ復動させる。そして、キャリッジ２７と共に移動する記録ヘッド３７から、印刷データに基づいてシート１００の第１面にインク滴を吐出させる。
【００５７】
制御部５０は、キャリッジ２７を走査方向に移動させた後、キャリッジ用モータ５２を停止させ、その後、搬送用モータ５１を所定の改行分だけ駆動して搬送ローラ２３を回転させる。これにより、シート１００は搬送向き１０５へ改行分だけ搬送される。そして、制御部５０は、再びキャリッジ用モータ５３を駆動して、印刷データに基づいて記録ヘッド３７からインク滴を吐出させる。
【００５８】
所定の改行分だけの搬送が繰り返されることにより、シート１００の先端が排出ローラ２９に到達して、シート１００の先端側が排出ローラ２９及び拍車３０に挟み込まれ、シート１００の後端側が搬送ローラ２３及び従動ローラ２４に挟み込まれた状態となる。そして、同様に所定の改行分だけの搬送と記録ヘッド３７からのインク滴の吐出が繰り返されて、シート１００の第１面に印刷データの基づく画像が形成される。
【００５９】
印刷データは、長方形の原稿を短手方向を行方向とし、長手方向を列方向として、行方向に沿って文章が横書きされたものである。シート１００の搬送向き１０５の先頭側には、この原稿における左端側が印刷される。また、シート１００においては、横書きの原稿１１０の行方向が搬送向き１０５に沿って印刷がなされる。このようにして、シート１００の第１面に原稿の全画像が記録されると、制御部５０は、搬送用モータ５１を連続して駆動して、排出ローラ２９及びＳＢローラ３２を搬送向き１０５へ回転させて、第１面に画像記録を終えたシート１００を搬送向き１０５へ搬送する。
【００６０】
シート１００の先端は、ガイドフラップ３５に当接して、ガイドフラップ３５を上側へ持ち上げられるように回動させる。これにより、シート１００の先端がガイドフラップ３５の下側を通過してＳＢローラ３２へ到達する。シート１００の後端がガイドフラップ３５の下流端部を通過すると、ガイドフラップ３５は、下流端部が第１搬送路２１の下側に至るまで回動する。
【００６１】
図１０に示されるように、制御部５０は、シート１００の後端が第１搬送路２１と第２搬送路２２との接続位置を通過し、かつＳＢローラ３２を抜け出る前に搬送用モータ５１を停止して、ＳＢローラ３２の回転を停止する。続いて、制御部５０は、搬送用モータ５１を逆方向に回転させる。これにより、ＳＢローラ３２に後端付近が挟み込まれていたシート１００は、後端を先頭として、第１搬送路２１を搬送向き１０５と逆向きに搬送される。そして、ＳＢローラ３２によりスイッチバック搬送されたシート１００の先端（搬送向き１０５の後端）がガイドフラップ３５により第２搬送路２２側へ向けられているので、シート１００が第２搬送路２２へ案内される。
【００６２】
第２搬送路２２を搬送されたシート１００は、第１搬送路２１の湾曲部分から再び第１搬送路２１へ進入して、搬送ローラ２３へ向かう。第１搬送路２１へ再び進入したシート１００の先端は、搬送ローラ２３に当接する。搬送ローラ２３に当接するシート１００の先端は、第１面へ画像記録が行われたときの後端であり、原稿の右端が印刷されている側のシート１００の端である。一般に、横書き原稿の右端は情報量が少ないので、インク滴の吐出量も少ない。したがって、第１面への画像記録が行われた後、第２面へ画像記録が行われるときに、斜行矯正のために搬送ローラ２３に当接される先端側には、インク滴の付着が少なく、シート１００の腰が比較的強い。そして、第１面への画像記録と同様にして斜行矯正が行われた後、シート１００の第２面に画像記録が行われる。
【００６３】
［縁無し印刷］
前述されたコピー動作や両面印刷動作、また、片面印刷動作において、シート１００に縁無し印刷が行われてもよい。縁無し印刷とは、シート１００の縁にインク滴を吐出しない余白を作ることなく、シート１００の縁までインクを吐出する印刷方法である。縁無し印刷は、図１１（Ａ）に示されるように、シート１００の縁より外側まで記録ヘッド３７からインク滴を吐出することによって実現される。シート１００の縁より外側に吐出されたインク滴の領域１０６（同図において斜線で示される部分）は、シート１００には着弾せずにプラテン２８の上面に着弾する。各図には詳細に示されていないが、プラテン２８の上面には、微小なインク流路やインクを吸引する部材などによって、上面に着弾したインクを除去する構成が形成されている。縁無し印刷は、主として、写真のようにシート１００の前面にインク滴を吐出して画像記録を行うときに有用である。
【００６４】
前述されたように、供給トレイ２０には、シート１００の短辺が給送向き１０４に沿うようにシート１００が載置されているので、シート１００は、短辺を給送向き１０４に沿わせて給送される。そして、プラテン２８上においては、シート１００の長辺がキャリッジ２７の移動方向、すなわち走査方向であり、シート１００の短辺が搬送向き１０５に沿う。
【００６５】
記録ヘッド３７による画像記録は、例えばインターレース方式により行われる。したがって、シート１００の改行は、記録ヘッド３７の搬送向き１０５に沿った長さより短い。このような改行を複数回繰り返しながら、インターレース方式により画像記録が行われるが、このときにキャリッジ２７が１回走査されて記録ヘッド３７からインク滴が吐出される動作は、一般に１パスと称される（図１１において２点鎖線で囲まれる領域）。したがって、シート１００に画像記録が行われるときには、複数パス分だけキャリッジ２７が移動されて記録ヘッド３７からインク滴が吐出される。
【００６６】
縁無し印刷において、シート１００の縁より外側に吐出されてプラテン２８に着弾するインク滴の量は、シート１００に画像記録を行うときのパス数に比例して多くなる。すなわち、図１１（Ａ）においては、領域１０６がシート１００の短辺に沿って重複しながら存在する。そして、仮に１枚のシート１００全体に縁無し印刷を行うと、複数パス分の領域１０６の合計に相当する領域にインク滴が打ち捨てられてプラテン２８に着弾することとなる。
【００６７】
図１１（Ｂ）に示されるように、シート１００の長辺が搬送向き１０５に沿うようにシート１００が搬送されると、シート１００に画像記録を行うときのパス数は、シート１００の短辺が搬送向き１０５に沿うようにシート１００が搬送されるときの画像記録に比べて多くなる。したがって、そのパス分の領域１０７の合計は、領域１０６の合計より多くなるので、プラテン２８に着弾するインク滴の量も多くなる。このように、シート１００の短辺が搬送向き１０５に沿うようにシート１００が搬送されて縁無し印刷がされると、プラテン２８に着弾するインク滴の量が最小となる。
【００６８】
［本実施形態の作用効果］
本実施形態によれば、シート１００の長辺を記録ヘッド３７の走査方向として画像記録が行われるので、迅速に画像記録を行うことができる。また、シート１００の搬送向き１０５下流側の長辺を左端として、短辺に沿った横書きの記録情報が画像記録されるので、第１搬送路２１から画像記録後のシート１００が排出されるときに、情報量が比較的多い記録情報の左端側が最も先に排出される。したがって、第１搬送路２１から排出されるシート１００において記録情報の確認を迅速に行うことができる。
【００６９】
また、横書きされた記録情報の左端となるシート１００の搬送向き１０５下流側の長辺が搬送ローラ２３に当接されて斜行矯正されるので、記録情報の左端が揃った画像がシート１００に記録される。
【００７０】
また、搬送ローラ２３をシート１００が通過して、排出ローラ２９及び拍車３０によってシート１００を搬送するときには、情報量が比較的少ない記録情報の右端側がシート１００に画像記録されるので、シート１００に吐出されるインク量が比較的少なく、インクの影響によってシート１００に浮き上がりが生じ難い。したがって、インクの影響によってシート１００がカールして記録ヘッド３７などに接触するおそれが抑制される。
【００７１】
また、両面印刷において、シート１００の第２面へ画像記録が行われる前の斜行矯正は、第１面において情報量が比較的少ない記録情報の右端側に近いシート１００の長辺が搬送ローラ２３に当接されるので、シート１００が搬送ローラ２３に当接することにより、シート１００の腰が折れて紙詰まりなどが生じ難くなる。
【００７２】
また、縁無し印刷において、シート１００の短辺が搬送向き１０５に沿うようにシート１００が搬送されて縁無し印刷がされることにより、プラテン２８に着弾するインク滴の量が最小となるので、シート１００の外側に打ち捨てられるインク量を最小にすることができる。
【００７３】
［変形例］
なお、本発明において、シート１００をスイッチバック搬送するための経路は、前述された第２搬送路２２に限定されない。例えば、図１２に示されるように、第１搬送路２１の湾曲部分の２箇所において接続する第２搬送路６２が、第１搬送路２１の後方にループ形状に形成されていてもよい。このような第２搬送路６２によれば、シート１００の第１面に画像記録が行われた後、排出ローラ２９が逆転されて、記録ヘッド３７の下方をシート１００が搬送向き１０５と逆向きに搬送されて、第１搬送路２１から第２搬送路６２へシート１００が進入する。第２搬送路６２を搬送向き１０８へ搬送されたシート１００は、再び第１搬送路２１の湾曲部分へ進入して、第１面と反対の第２面を記録ヘッド３７に対向させて第１搬送路２１を搬送向き１０５へ搬送される。
【００７４】
また、本発明において、記録部は実施形態において示された記録ヘッド３７のように、キャリッジ２７に搭載されて移動されるものに限定されない。例えば、キャリッジ２７がなく、シート１００の長手方向の長さを有するラインタイプの記録ヘッドがプリンタ部１１に搭載されていてもよい。このようなラインタイプの記録ヘッドにおいては、左右方向１０２に沿った方向が走査方向となる。
【符号の説明】
【００７５】
１０・・・複合機
１１・・・プリンタ部（画像記録装置）
１２・・・スキャナ部（画像読取装置）
２０・・・供給トレイ
２３・・・搬送ローラ（搬送部、搬送ローラ対）
２４・・・従動ローラ（搬送部、搬送ローラ対）
２５・・・給紙ローラ（搬送部）
２９・・・排出ローラ（搬送部、排出ローラ対）
３０・・・拍車（搬送部、排出ローラ対）
３２・・・ＳＢローラ（搬送部）
３３・・・拍車（搬送部）
３７・・・記録ヘッド（記録部）
５０・・制御部（演算装置）
１００・・・シート
【図１】
2013223990.tif 000003
【図２】
2013223990.tif 000004
【図３】
2013223990.tif 000005
【図４】
2013223990.tif 000006
【図５】
2013223990.tif 000007
【図６】
2013223990.tif 000008
【図７】
2013223990.tif 000009
【図８】
2013223990.tif 000010
【図９】
2013223990.tif 000011
【図１０】
2013223990.tif 000012
【図１１】
2013223990.tif 000013
【図１２】
2013223990.tif 000014